(57)【特許請求の範囲】
【請求項１】
フイルムへの露光範囲を決めるアパーチャの両側にフイルムロール室とパトローネ室とがそれぞれ形成された本体基部と、この本体基部の背面に固着されフイルムロール室からパトローネ室に至るフイルム通路を光密に覆う後カバーとを有し、撮影後の巻上げ操作により、予めフイルムロール室に収納されたフイルムをパトローネに巻き込むようにしたレンズ付きフイルムユニットにおいて、
本体基部背面のアパーチャとフイルムロール室との間にフイルム通路を横切る溝を形成し、アパーチャを通過してフイルムロール室に向かうフイルムの先端をこの溝で捕捉するようにしたことを特徴とするレンズ付きフイルムユニット。
【請求項２】
フイルムへの露光範囲を決めるアパーチャの両側にフイルムロール室とパトローネ室とがそれぞれ形成された本体基部と、この本体基部の背面に固着されフイルムロール室からパトローネ室に至るフイルム通路を光密に覆う後カバーとを有し、撮影後の巻上げ操作により、予めフイルムロール室に収納されたフイルムをパトローネに巻き込むようにしたレンズ付きフイルムユニットにおいて、
本体基部背面のアパーチャとフイルムロール室との間、又はアパーチャとフイルムロール室との間を覆う後カバーの一部であって、フイルムのパーフォレーションの通過域に対面する位置に、フイルムの巻上げ方向では高さが漸増してパーフォレーションの通過を許容し、かつ逆方向では急峻に立ち上がってパーフォレーションに係合する突起を形成したことを特徴とするレンズ付きフイルムユニット。
【発明の詳細な説明】
【０００１】
【発明の属する技術分野】
本発明はレンズ付きフイルムユニットに関し、詳しくは不正なフイルムの詰め替えを防ぐようにしたレンズ付きフイルムユニットに関するものである。
【０００２】
【従来の技術】
予め写真フイルムが装填され、簡単な撮影機構を備えたレンズ付きフイルムユニットが各種販売されている。使用済みのレンズ付きフイルムユニットは、製造メーカーによって回収され、構成部品ごとにリユース、あるいはリサイクルされている。
【０００３】
現在販売されているレンズ付きフイルムユニットの中には、使用済みのレンズ付きフイルムユニットに未使用の写真フイルムが再装填されて販売されているものがある。このような詰め替え製品は、適正な検査や修理が行われずに販売されるため、信頼性に乏しいという問題がある。また、詰め替え製品に発生する問題は、レンズ付きフイルムユニットそのものに対する信頼性を傷つけるため、従来のレンズ付きフイルムユニットでは再使用防止のための工夫が各種なされている。
【０００４】
フイルムの不正な詰め替えを防ぐために、レンズ付きフイルムユニットの基本的な構成部品を超音波溶着などにより固着し、フイルム詰め替えのためにユニット本体を簡単に分割することができないようにしている。特に、後カバーが取り外されてしまうと、本体基部に形成されたフイルムロール室，アパーチャ，パトローネ室が完全に露呈し、暗室があれば簡単にフイルムの装填を行うことができるようになるため、後カバーは本体基部に強固に固着するようにしている。そして、無理に後カバーを分離したときには、その一部が破断したり、あるいは後カバーと係合している別の機能部品が破損するように工夫されている。
【０００５】
【発明が解決しようとする課題】
しかしながら、このようなレンズ付きフイルムユニットについても、後カバーを本体基部から分離しないままフイルムの詰め替えが行われるケースも生じてきている。というのは、使用済みになったレンズ付きフイルムユニットから露光済みのフイルムが巻き込まれたパトローネを簡単に取り出すことができるように、本体基部の底面にはパトローネ室に連通したパトローネ取り出し口が設けられている。そこで、空になったパトローネ室に新たなパトローネを装填し、パトローネから引き出されたフイルムの先端を適宜の手法でフイルムロール室まで送り込んだ後、フイルムロール室の底面から挿入した巻き軸にフイルムの先端をはさみ、巻き軸でフイルムを巻取りながらパトローネから引き出す。そして、フイルム巻取りを終えたら巻き軸を引き抜き、フイルムロール室の底面に遮光用テープを貼って巻き軸の挿入用の穴を塞ぐようにしており、フイルムの不正な詰め替えが完全に防止できているとは言い難い。
【０００６】
本発明はこのような背景を考慮してなされたもので、その目的は、例え後カバーを分離しないままでフイルムの詰め替えを行おうとしても、これを確実に防ぐことができるようにしたレンズ付きフイルムユニットを提供することにある。
【０００７】
【課題を解決するための手段】
本発明は上記目的を達成するにあたり、パトローネ室に装填したパトローネからフイルムの先端をフイルムロール室に向けて送り込むときには、本体基部の背面と後カバーの内面との間に形成される狭いフイルム通路を通す必要があることに着目し、このフイルム通路内でフイルムの逆送を阻止する構成を採ったものである。このため、本発明のレンズ付きフイルムユニットでは、本体基部背面のアパーチャとフイルムロール室との間にフイルム通路を横切る溝が形成され、アパーチャを通過してフイルムロール室に向かうフイルムの先端がこの溝で捕捉されるようにしてある。フイルムは、露光面側にカールする習性をもっているから、本体基部の背面側に上記溝が設けられていると容易にその中に落ち込む。したがって、以後はパトローネのスプールを逆回転させたり、あるいはアパーチャの前面側から治具などを作用させてフイルムを送り込もうとしても、フイルム先端がフイルムロール室まで達することはない。
【０００８】
さらに、本体基部背面のアパーチャとフイルムロール室との間、又はアパーチャとフイルムロール室との間を覆う後カバーの一部であって、フイルムのパーフォレーションの通過域に対面する位置に、フイルムの巻上げ方向では高さが漸増してパーフォレーションの通過を許容し、かつ逆方向では急峻に立ち上がってパーフォレーションに係合する突起を形成することも本発明の目的を達成する有効な手段となる。例えば、フイルムの先端に糸を固着し、フイルムロール室側からその糸を引っ張ってパトローネ室側からフイルムロール室側にフイルムを送り込もうとしたときでも、前記突起がパーフォレーションの移動を係止するので、例えフイルムの先端がフイルムロール室に達した後でも、フイルムロール室側にフイルムを送ることができなくなる。
【０００９】
【発明の実施の形態】
本発明のレンズ付きフイルムユニットは、図１に示すように、本体基部２，パトローネ付きフイルム（図３に示す），これらの前後にかぶせられる前カバー１，後カバー３とから構成されている。本体基部２の中央には、露光枠であるアパーチャ６が設けられ、アパーチャ６の両側には、フイルムロール室４，パトローネ室５が形成されている。前述したパトローネ付きフイルムは、写真フイルム２０をパトローネ２１から引き出し、ロール状にしてフイルムロール室４に収納され、パトローネ２１はパトローネ室５に収納されている。撮影後の写真フイルム２０は本体基部２の背面と後カバー３の当接部８との間に設けられたフイルム通路７を通って巻き上げノブ９によりパトローネ２１に巻き上げられていく。
【００１０】
上記本体基部２のフイルム通路７に沿ったフイルムロール室４側には、フイルム通路７を写真フイルム２０が移動する方向と垂直な方向に、引っ掛け溝１０が形成されている。また、後カバー３の当接部８にも、本体基部２の引っ掛け溝１０と当接する部分に、同様の引っ掛け溝１１が形成されている。引っ掛け溝１０，１１は、写真フイルム２０の先端部２３を捕捉できるように、先端部２３の幅以上の長さを持つ。また、不正な方法でフイルムロール室４へ挿入されようとする写真フイルム２０の先端２３を確実に引っ掛け溝１０に導くことができるように、引っ掛け溝１０のパトローネ室５側はフイルム通路７に対してなだらかな勾配を持つ曲線状に形成されている。
【００１１】
このように構成されたレンズ付きフイルムユニットを用いて、前述したような方補で、フイルムを不正に詰め替えようとした場合、パトローネ室５側からフイルム通路７に挿入された写真フイルム２０は、パトローネ２１にロール状に収納されていたものを引き出したものであるため、その先端２３は図１に示すように、本体基部２に向かってカールしており、前述した引っ掛け溝１０，１１の形状に沿って引っ掛け溝１０に導かれ、容易に捕捉されることになる。
【００１２】
さらに本体基部２には、図３に示すように、写真フイルム２０のパーフォレーション２２がフイルム通路７を通過する位置に、２つの引っ掛け爪１２が形成されている。図２に示すように、この引っ掛け爪１２の断面は、パトローネ室５側の高さが急峻に立ち上がった形状になっている。この形状により、上記のような方法で不正に詰め替えられた写真フイルム２０のパーフォレーション２２は、これに容易に係合するため、写真フイルム２０の通過は妨げられることとなる。逆にフイルムロール室４側は、その高さが漸増するような形状となっている。この形状により、撮影後の写真フイルム２０がフイルム通路７を通って巻き上げノブ９によりパトローネに巻き上げられていく時には、パーフォレーション２２が引っ掛け爪１２に係合しないため、写真フイルム２０の通過を許容することとなる。
【００１３】
このように構成されたレンズ付きフイルムユニットを用いて、前述した不正な方法でフイルムの詰め替えを行おうとした場合、引っ掛け溝１０，１１が写真フイルム２０の先端部２３を捕捉できなくても、パーフォレーション２２が引っ掛け爪１２に係合することになる。これにより、写真フイルム２０をフイルムロール室４内でロール状に巻き込むことを妨げることができるため、不正なフイルムの詰め替えを防止することができる。
【００１４】
【発明の効果】
以上のように、本発明のレンズ付きフイルムユニットによれば、パトローネ室５側からフイルム通路７に挿入されるフイルムの通過を、引っ掛け溝１０，１１及び引っ掛け爪１２により妨げることができるので、フイルムの不正な詰め替えを効果的に防止することができる。
【図面の簡単な説明】
【図１】本発明を実施したレンズ付きフイルムユニットの分解斜視図である。
【図２】図１に示した本発明の要部をレンズ付きフイルムユニット本体上部から示した断面図である。
【図３】図１に示した本発明の要部をレンズ付きフイルムユニット本体の後カバー側から示した断面図である。
【符号の説明】
２  本体基部
３  後カバー
４  フイルムロール室
５  パトローネ室
６  アパーチャ
７  フイルム通路
１０，１１  引っ掛け溝
１２  引っ掛け爪
２０  写真フイルム
２１  パトローネ
２２  パーフォレーション
２３  先端
【図１】
0004240824.tif 000002
【図２】
0004240824.tif 000003
【図３】
0004240824.tif 000004